(57)【要約】【課題】針交換式ミシンの糸道機構の提供。【解決手段】針交換式ミシンの糸道機構は針棒切り換え機構を具えたミシンに応用され、挑糸棒、環状針棒カートリッジ、及び複数の縫い糸を包含する。そのうち、挑糸棒には揺動端と、複数の糸孔を具えた挑糸端が設けられ、環状針棒カートリッジは回転軸心及び複数の間隔配列された針棒孔を具え、並びに内部に貫通空間が形成され、また各針棒孔と回転軸心の間の距離は同じで、且つ各針棒孔内に、ミシン針を具えた針棒が収容され、各ミシン針に針孔が設けられている。複数の縫い糸が、それぞれ順に、上述の挑糸棒の糸孔、上述の環状針棒カートリッジの貫通空間及び上述のミシン針の針孔が共同で構成する糸道経路に通され、縫い糸が糸道機構を通過した後の長さが、針棒位置の変換後に変化することがないものとされる。【選択図】図２
2014226543.tif 000002
【特許請求の範囲】
【請求項１】
針交換式ミシンの糸道機構において、
挑糸棒であって、揺動端と挑糸端を具え、上述の揺動端は上述の挑糸端を駆動して上下移動させるのに用いられ、上述の挑糸端は複数の糸孔を具える、上記挑糸棒と、
環状針棒カートリッジであって、回転軸心と複数の間隔配列された針棒孔を具え、並びに内部に上から下に貫通空間が設けられ、上述の各針棒孔と上述の回転軸心の間の距離はいずれも同じで、且つ各針棒孔内にそれぞれミシン針を具えた針棒が収容され、且つ各ミシン針は針孔を具えた、上記環状針棒カートリッジと、
複数の縫い糸であって、上述の挑糸棒の糸孔、上述の環状針棒カートリッジの貫通空間及び上述のミシン針の針孔が順に共同で構成する線道経路を通過する、上記複数の縫い糸と、
を包含することを特徴とする、針交換式ミシンの糸道機構。
【請求項２】
請求項１記載の針交換式ミシンの糸道機構において、上述の環状針棒カートリッジの底部に位置決め盤が設けられ、上述の位置決め盤は、上述の複数の縫い糸が通される少なくとも一つの糸通し孔を具えたことを特徴とする、針交換式ミシンの糸道機構。
【請求項３】
請求項２記載の針交換式ミシンの糸道機構において、上述の位置決め盤の底部にさらに糸夾持装置が設けられたことを特徴とする、針交換式ミシンの糸道機構。
【請求項４】
請求項３記載の針交換式ミシンの糸道機構において、上述の糸夾持装置には上述の位置決め盤の複数の糸通し孔の一端を被覆する糸夾持部材が設けられ、上述の糸夾持部材は、上述の複数の糸通し孔を被覆できる糸夾持面を具え、並びに上述の糸夾持面に一つの切欠きが開設されて、該切欠きは上述の複数の糸通し孔のうちの一つに対応する、針交換式ミシンの糸道機構。
【請求項５】
請求項４記載の針交換式ミシンの糸道機構において、上述の糸夾持装置に、さらに、軸部材、バネ及びナットが共同で上述の糸夾持部材に組み合わされて形成する縫い糸夾持固定手段が設けられることを特徴とする、針交換式ミシンの糸道機構。
【請求項６】
請求項５記載の針交換式ミシンの糸道機構において、上述の糸夾持装置に、さらに、駆動軸部材に上述の糸夾持部材が組み合わされて形成する縫い糸釈放手段が設けられたことを特徴とする、針交換式ミシンの糸道機構。
【請求項７】
請求項１記載の針交換式ミシンの糸道機構において、上述の環状針棒カートリッジの上部にさらに、同期に作動する位置決め盤が設けられ、上述の位置決め盤は、上述の回転軸心の周囲を囲むように少なくとも一つの糸通し孔を具え、該糸通し孔は上述の複数の縫い糸を通すのに供されることを特徴とする、針交換式ミシンの糸道機構。
【請求項８】
請求項１記載の針交換式ミシンの糸道機構において、上述の挑糸棒と環状針棒カートリッジの間に、さらに糸夾持機構が設けられたことを特徴とする、針交換式ミシンの糸道機構。
【請求項９】
請求項８記載の針交換式ミシンの糸道機構において、上述の糸夾持機構には、糸押圧盤が設けられ、上述の糸押圧盤は複数の、直列接続された押圧片を具え、且つこれら複数の押圧片の側辺に、糸釈放ユニット及び上述の糸釈放ユニットを押動する駆動ユニットが設けられ、上述の糸釈放ユニットに支持軸が設けられ、且つ上述の支持軸に複数の、上述の押圧片と互い違いに配列された糸釈放板が枢設され、上述の駆動ユニットが選択的に上述の複数の糸弛緩板の一つを複数の押圧片のうちの二つの間に進入させることを特徴とする、針交換式ミシンの糸道機構。
【請求項１０】
請求項１記載の針交換式ミシンの糸道機構において、上述の複数の縫い糸の、上述の挑糸棒の糸孔と上述の環状針棒カートリッジの貫通空間の間の通路に、少なくとも一つの糸渡し器が設けられて、上述の縫い糸の張力を維持し並びに縫い糸の経路を変えるのに用いられることを特徴とする、針交換式ミシンの糸道機構。
【発明の詳細な説明】
【技術分野】
【０００１】
本発明は、一種の、ミシンの頭部に位置し糸位置を安定させる糸道機構に係り、特に、複数の針棒を具えたミシンが針棒切り換えを実行するときに、複数の縫い糸の糸道中の長さを安定させる糸道機構に関する。
【背景技術】
【０００２】
一般にミシンには上アームと下方の対向する下アーム及び針板が設けられ、上アーム内部では主軸と同期して駆動される挑糸機構及びクランク装置が駆動されて、ミシンヘッド部分の針棒機構が駆動され、下アームには布送り機構が設けられ針板下方内に糸掛け装置が設けられ、針棒機構の縫い針が縫い糸を伴い上下に往復して布を突き刺し、並びに挑糸機構と糸掛け装置の正確な動作タイミングが組み合わされることで、縫製作業が実行される。
【０００３】
そのうち、挑糸機構は、一般に、いずれも針棒機構の上方に位置して縫い糸の張力を確保し、並びに縫い糸が挑糸機構を通過する抵抗力を減らし、現在市場には、一種の多針棒式刺繍機があるほかは、明らかに、直接針棒切り換えを行なう縫製器具は少ない。しかし、一般に多針棒式刺繍機は体積が膨大であり駆動装置の送り台運動行程が長くなる欠点があり、このため、新規な一種の、縫製基準点及び底部プラットフォーム位置が不変の状況で、縫製の必要に応じて直接異なる針棒に切り換えて縫製を進行できるミシンを設計する必要がある。
【０００４】
しかし、一旦ミシンの頭部に対して環状針棒カートリッジを設計することで複数の針棒を切り換えると、挑糸機構もまた同時に多数の縫い糸を処理しなければならず、このため、もし、縫い糸を通す経路をコントロールしないならば、針棒切り換え後に、複数の縫い糸の糸道中の長さを安定させられず、そのために複数の縫い糸の張力が変わり、縫製作業に影響が生じる。
【発明の概要】
【発明が解決しようとする課題】
【０００５】
本発明の主要な目的は、一種の、針棒変化可能なミシンに対して、複数の縫い糸の安定した取糸が行なえる糸道機構により、複数の縫い糸の長さが、挑糸棒の糸孔及びミシン針の針孔を通過した後に、ミシンの針棒切り換え後に変化しないようにすることにある。
【０００６】
本発明の次の目的は、挑糸棒の糸孔、ミシン針の針孔の間に、さらに、糸夾持設計を有するようにし、ミシンが縫製を行なうときに、使用中の縫い糸を釈放すると同時に未使用の縫い糸を夾持固定し、複数の縫い糸がミシン針の針孔中より離脱するのを防止することにある。
【０００７】
本発明のもう一つの目的は、挑糸棒に糸渡し器を組み合わせて使用した後に、挑糸棒の所在位置がそれ以上針棒の真上に限定されないようにし、全体のミシン台の配置設計に便利とすることにある。
【課題を解決するための手段】
【０００８】
上述の目的を達成するため、本発明の針交換式ミシンの糸道機構は、挑糸棒、環状針棒カートリッジ、及び複数の縫い糸を包含する。そのうち、挑糸棒には揺動端と挑糸端が設けられ、上述の揺動端は、上述の挑糸端を駆動して上下移動するのに用いられ、上述の挑糸端は複数の糸孔を有する。上述の環状針棒カートリッジは回転軸心と複数の間隔配列された針棒孔を具え、並びに内部に上から下に貫通空間が形成され、上述の各針棒孔内にミシン針を具えた針棒が収容され、各ミシン針に針孔が設けられている。上述の縫い糸は、順に、上述の挑糸棒の糸孔、上述の環状針棒カートリッジの貫通空間及び上述のミシン針の針孔が共同で構成する糸道経路に通される。
【０００９】
好ましい実施例において、本発明は上述の環状針棒カートリッジの底部に位置決め盤が設けられ、上述の位置決め盤は、上述の回転軸心の周囲を囲む複数の糸通し孔を具え、上述の複数の縫い糸が通され、且つ上述の位置決め盤の底部にさらに糸夾持装置が設けられる。
【００１０】
上述の糸夾持装置には、上述の位置決め盤の複数の糸通し孔の一端を被覆する糸夾持部材が設けられ、上述の糸夾持部材は、上述の複数の糸通し孔を被覆できる糸夾持面を具え、並びに上述の糸夾持面上に、切欠きが開設され、該切欠きは上述の複数の糸通し孔のうちの一つに対応する。
【００１１】
実行可能な実施例において、上述の糸夾持装置に軸部材が、バネ及びナットが共同で上述の糸夾持部材に組み合わされて形成する縫い糸夾持固定手段が設けられ、このほかにも、駆動軸部材に上述の糸夾持部材が組み合わされて形成される縫い糸釈放手段が設計され得る。
【００１２】
さらに、別の実施例において、本発明はまた、上述の挑糸棒と環状針棒カートリッジの間に、直接糸夾持機構が設けられ、そのうち、上述の糸夾持機構に糸押圧盤が設けられ、上述の糸押圧盤は複数の直列接続された押圧片を有し、上述の複数の押圧片の側辺に、糸弛緩ユニット及び上述の糸弛緩ユニットを押動する駆動ユニットが設けられ、上述の糸弛緩ユニットに支持軸が設けられ、且つ上述の支持軸に複数の、上述の押圧片と対応する位置にある糸弛緩板が設けられ、上述の駆動ユニットは選択的に上述の複数の糸弛緩板のうちの一つを押圧して複数の押圧片のうちの二つの間に進入させ、これにより選定した縫い糸を釈放する。
【００１３】
ある実行可能な実施例において、上述の駆動ユニットは、ギア及び移動部材を包含し、上述のギアは、上述の回転軸心に組み合わされ、上述の移動部材の一端は上述のギアに噛み合い、他端には凸縁が設けられる。別の実行可能な実施例において、上述の駆動ユニットは、複数の気圧シリンダを具えてそれぞれ糸弛緩板を押圧し、また複数の、上述の支持軸に嵌合された回復バネを具え、上述の回復バネは未動作の上述の気圧シリンダの回復を確保する。
【００１４】
しかし、前述の駆動ユニットの二つの実行可能な実施例は、僅かに説明のために例示したにすぎず、並びに駆動ユニットの構造を制限するものではなく、すなわち、その他の異なる構造であっても、同様に選択的に糸押圧盤に単独の縫い糸を釈放させる設計であれば、いずれも本発明の簡単な変化の技術内容に属するものとする。
【００１５】
このほか、上述の環状針棒カートリッジの上部に、さらに位置決め盤が取り付けられ、上述の位置決め盤は、上述の回転軸心周囲を囲むように一つ或いは複数の糸通し孔を具え、該複数の糸通し孔は上述の複数の縫い糸が通される。
【００１６】
前述の二つの好ましい実施例において、本発明は複数の縫い糸中の、上述の挑糸棒の糸孔と上述の環状針棒カートリッジの貫通空間の間に位置する通路上に、さらに一つ或いは複数の糸渡し器が設計され、上述の縫い糸の張力を維持し、並びに縫い糸経路を変更させられるものとしている。
【発明の効果】
【００１７】
本発明の特徴は、複数の縫い糸が、挑糸棒の糸孔、貫通空間及び針孔の三者が共同で構成する糸道経路を通った後に、ほぼ等しい距離の態様を呈し、縫い糸の長さが、ミシンの針棒切り換えの後に変化することがないものとされる。このほか、挑糸棒の糸孔と針孔の間に、さらに糸夾持設計が設けられ、これによりミシンが針棒切り換え後に縫製を行なうときに、未使用中の縫い糸を夾持固定し、それにより複数の縫い糸がミシン針の針孔中より離脱する状況を防止する。
【００１８】
このほか、本発明は挑糸棒と環状針棒カートリッジの間の縫い糸位置上に、糸渡し器が組み合わされて使用された後、挑糸棒の所在位置が針棒の真上に限定されなくなり、全体のミシンのテーブル配置設計に便利である。
【図面の簡単な説明】
【００１９】
【図１】本発明の糸道機構のミシンの頭部における位置の立体表示図である。
【図２】図１のミシンの環状針棒カートリッジの破断表示図である。
【図３】本発明の環状針棒カートリッジ底部の位置決め盤が形成する単独糸通し孔の表示図である。
【図４】本発明の環状針棒カートリッジ底部が有する位置決め盤及び糸夾持装置の断面表示図である。
【図５】図４の縫い糸が位置決め盤、糸夾持装置及び針棒を通過する拡大図である。
【図６】本発明の位置決め盤と糸夾持装置の分解図である。
【図７】本発明の縫い糸が位置決め盤底部をとおりミシン針の針孔に至る底面図である。
【図８】本発明の挑糸棒の位置が変更可能であることを示す表示図である。
【図９】本発明の挑糸棒の位置が前向きに外に突出する表示図である。
【図１０】本発明の挑糸棒の位置が後ろ向きに縮入する表示図である。
【図１１】本発明の環状針棒カートリッジの上部に設計された位置決め盤の表示図である。
【図１１Ａ】図１１の位置決め盤に設計された一つの糸通し孔の拡大表示図である。
【図１１Ｂ】図１１の位置決め盤に設計された複数の糸通し孔の拡大表示図である。
【図１２】本発明の挑糸棒と環状針棒カートリッジの間に設置された第１糸夾持機構の表示図である。
【図１３Ａ】第１糸夾持機構に針交換を組み合わせた動作表示図である。
【図１３Ｂ】第１糸夾持機構に針交換を組み合わせた動作表示図である。
【図１４】本発明の挑糸棒と環状針棒カートリッジの間に設置された第２糸夾持機構の表示図である。
【図１５】図１４の第２糸夾持機構の別の角度から見た構造表示図である。
【発明を実施するための形態】
【００２０】
以下に本発明の技術内容、構造特徴、達成する目的及び作用効果について、以下に例を挙げ並びに図面を組み合わせて詳細に説明する。
【００２１】
図１を参照されたい。本発明の針交換式ミシンの糸道機構は、ミシン１０の頭部１１部分に取り付けられた針棒切り換え機構１２に組み合わされる。そのうち、本発明は主に、環状針棒カートリッジ２０及び挑糸棒２１が構成し、複数の縫い糸２２が共同で通される糸道経路である。
【００２２】
図２を参照されたい。本発明の環状針棒カートリッジ２０は、環状の円筒壁２０１を具え、上述の円筒壁２０１の中央に、回転軸心２０２を具え、且つ内部に上から下に貫通空間２０３が形成され、上述の環状針棒カートリッジ２０の辺縁近くに、複数の間隔配列された針棒孔２０４が設けられ、各針棒孔２０４と上述の回転軸心２０２の間の距離はいずれも同じである。且つ各針棒孔２０４内に、それぞれミシン針２０６を具えた針棒２０５が収容され、且つ各ミシン針２０６は針孔２０７を有する。そのうち、上述の環状針棒カートリッジ２０は、上述の針棒切り換え機構１２に駆動されて回転し、それにより上述の環状針棒カートリッジ２０のそのうち一つの針棒２０５が選択されて縫製位置に切り換えられる。
【００２３】
本発明の挑糸棒２１は、上述のミシン１０の頭部１１前端に枢設され、並びに上述の環状針棒カートリッジ２０の円筒壁２０１の真上の区域に位置し、揺動端２１１と挑糸端２１２を具え、上述の揺動端２１１は回転して上述の挑糸端２１２を駆動し上下移動させ、並びに上述の縫い糸２２が通される複数の糸孔２１３を具えている。
【００２４】
このほか、本発明の複数の縫い糸２２は、順に、上述の挑糸棒２１の糸孔２１３、上述の環状針棒カートリッジ２０の貫通空間２０３及び上述のミシン針２０６の針孔２０７が共同で構成する糸道経路をとおり、こうして複数の縫い糸２２の長さがミシン１０の針棒２０５切り換え後に換わることがない。
【００２５】
図示される実行可能な実施例において、本発明の糸道機構はさらに、上述の環状針棒カートリッジ２０底部に位置決め盤２３が設けられ、上述の位置決め盤２３と環状針棒カートリッジ２０は同期して回転し、並びに中央に、複数の糸通し孔２３１が、上述の回転軸心２０２周囲を囲むように設けられ、上述の複数の縫い糸２２が通され、こうして糸道経路が安定させられ、また、上述の針棒孔２０４に対応する位置に、複数の開孔２３２が設置される。
【００２６】
しかし、前述の位置決め盤構造は僅かに説明のために例示されたにすぎず、図３に示されるように、すなわち、上述の位置決め盤２３は、複数個が設計され得るほか、当然、単一の糸通し孔２３１が縫い糸２２を通すために設計されてもよい。
【００２７】
図４を参照されたい。このほか、上述の位置決め盤２３の底部にさらに、糸夾持装置２４を取り付け可能であり、上述の位置決め盤２３を通過した縫い糸２２を選択的に、針棒２０５切り換え時に釈放するか、或いは縫製開始時に夾持固定するのに用いられる。
【００２８】
図５を参照されたい。上述の糸夾持装置２４に、縫い糸２２を夾持する糸夾持部材２４１が設けられ、上述の糸夾持部材２４１は並びに軸部材２４２に組み合わされ、軸部材２４２にバネ２４３とナット２４４が結合され、上述のバネ２４３の一端は、上述の軸部材２４２に固定されたナット２４４に当接し、他端は、上述の糸夾持部材２４１に当接し、これにより上述の糸夾持部材２４１が緊密に上述の位置決め盤２３の端面に接触し、縫い糸夾持固定手段を形成する。上述の糸夾持部材２４１はまた、駆動棒部材２４５が組み合わされて、上述の糸夾持部材２４１を駆動して上述のバネ２４３の弾力に抵抗させ、並びに上述の糸夾持部材２４１を下向きに移動させて上述の位置決め盤２３の端面より分離させる、縫い糸釈放手段を形成し、こうして針棒２０５切り換え時に縫い糸２２を釈放できる。
【００２９】
図６を参照されたい。上述の糸夾持部材２４１は、上述の複数の糸通し孔２３１を被覆する糸夾持面２４１ａを有し、並びに上述の糸夾持面２４１ａの底側に、上述の駆動棒部材２４５を組み付けるための連接部２４１ｂが延伸形成され、これにより、上述の糸夾持部材２４１の回転が防止され、且つ上述の糸夾持面２４１ａに切欠き２４１ｃが開設され、該切欠き２４１ｃは上述の糸通し孔２３１のそのうちの一つに対応し、使用中の縫い糸２２を自由に通過させ、その他の未対応の糸通し孔２３１は糸夾持面２４１ａを組み合わせて縫い糸２２を夾持し、針棒２０５の切り換え後に縫製開始する時に、複数の縫い糸２２が針孔２０７より離脱するのを防止する。
【００３０】
図７を参照されたい。本発明の複数の縫い糸２２は、上述の挑糸棒２１の糸孔２１３、上述の環状針棒カートリッジ２０の貫通空間２０３及び上述のミシン針２０６の針孔２０７の三者が共同で構成する糸道経路を通過した後、上述の糸通し孔２３１と針孔２０７の間に位置する各縫い糸２２のセクションは、上から下に放射状配列を呈し、各縫い糸２２は、糸道機構の糸孔２１３、糸通し孔２３１及び針孔２０７を通過した後に、ほぼ等距離の態様を呈し、こうして、ミシン１０が針棒２０５切り換え後を実行した後にも、複数の縫い糸２２の糸道中に位置する部分の長さを安定させられる。
【００３１】
さらに、前述の実施例では、挑糸棒２１は上述の円筒壁２０１の真上の区域に位置しているが、この説明は僅かに説明ために例示されたものであり、図８に示されるように、上述の挑糸棒２１はまた、頭部１１に接続された対応位置に設けられてもよく、上述の挑糸棒２１は上述の円筒壁２０１の上方区域の外側延伸位置に位置づけられてもよい。さらに、図９及び図１０に示されるように、前述の横向き位置が変更されるほか、本発明はまた上述の挑糸棒２１が頭部１１前方の外向き突出位置に取り付けられるか、或いは後方の縮入位置に取り付けられてもよい。
【００３２】
上述の挑糸棒２１の位置の変更により、上述の貫通空間２０３中の縫い糸２２は垂直状態に接近できなくなり得て、このため上述の円筒壁２０１が縫い糸２２経路に干渉して、安定した取糸過程を妨害し得る。このため、上述の挑糸棒２１の糸孔２１３と上述の環状針棒カートリッジ２０の間の通路上に、一つ或いは複数の糸渡し器２５を設けて、それにより上述の縫い糸２２の張力を維持し、並びに縫い糸２２の経路を変更することで、縫い糸２２が上述の環状針棒カートリッジ２０の円筒壁２０１に接触しないようにする必要がある。
【００３３】
図１１を参照されたい。本発明のもう一つの好ましい実施例において、本発明は環状針棒カートリッジ２０の上部にさらに位置決め盤２３が設けられて同期に作動し、上述の位置決め盤２３は上述の回転軸心２０２の近隣の一つの糸通し孔２３１（図１１Ａ参照）を有するか、上述の回転軸心２０２の周囲を囲む複数の糸通し孔２３１（図１１Ｂ参照）を有し、上述の複数の縫い糸２２を通すのに供され、これにより縫い糸２２を通す経路を制限している。
【００３４】
図１２を参照されたい。上述の挑糸棒２１と環状針棒カートリッジ２０の間には糸夾持機構２６を設置可能で、上述の糸夾持機構２６には一組の糸押圧盤２６１が設けられ、上述の糸押圧盤２６１は複数の直列接続された押圧片２６１ａを具え、各押圧片２６１ａの間に縫い糸２２が通され、且つ上述の複数の押圧片２６１ａの側辺に、糸弛緩ユニット２６２及び上述の糸弛緩ユニット２６２を押動させる駆動ユニット２６３が設けられ、上述の糸弛緩ユニット２６２に支持軸２６２ａが設けられ、且つ上述の支持軸２６２ａ上に、複数の、上述の押圧片２６１ａと対応する位置に配列された糸弛緩板２６２ｂが枢設され、上述の駆動ユニット２６３は選択的に、上述の複数の糸弛緩板２６２ｂのうちの一つを押圧して複数の押圧片２６１ａのうちの二つの間に進入させる。図示される実行可能な実施例では、上述の駆動ユニット２６３はギア２６３ａ及びラックを具えた移動部材２６３ｂを包含し、上述のギア２６３ａは上述の回転軸心２０２に組み合わされ、上述の移動部材２６３ｂの一端は上述のギア２６３ａに噛み合わされ、他端には凸縁２６３ｃが設けられる。
【００３５】
図１３Ａ及び図１３Ｂを参照されたい。ミシン１０が針棒２０５を切り換えようとするとき、上述のギア２６３ａは回転軸心２０２の駆動を受け、これにより上述の移動部材２６３ｂの位置を変え、凸縁２６３ｃに異なる糸弛緩板２６２ｂを押圧させて、押圧された糸弛緩板２６２ｂを別の二つの押圧片２６１ａの間に進入させ、これにより、縫製を行なわない針棒２０５の縫い糸２２が、押圧片２６１ａの間に夾持位置決めされるようにし、縫製作業を行なう針棒２０５に対応する縫い糸２２は、上述の糸弛緩板２６２ｂの進入により自由に糸送りさせる。
【００３６】
図１４及び図１５を参照されたい。図示される実行可能な実施例中、上述の駆動ユニット２６３は複数の気圧シリンダ２６３ｄを具え、これら気圧シリンダ２６３ｄはそれぞれ一つの糸弛緩板２６２ｂを押圧し、上述の複数の気圧シリンダ２６３ｄは、一組の気圧管路によりコントロールされ（図示せず）、針棒切り換え機構１２と同期して動作し、これにより使用中の縫い糸２２を釈放する。また、上述の糸弛緩板２６２ｂに対応して、複数の、上述の支持軸２６２ａに嵌合された回復バネ２６３ｅを具え、上述の未作動の気圧シリンダ２６３ｄが回復するものとされる。
【００３７】
前述の駆動ユニット２６３の二つの実行可能な実施例は、僅かに説明のために例示されたものであり、駆動ユニット２６３の構造を制限するものではなく、すなわち、その他の異なる構造でも、同様に選択的に単独で縫い糸２２を釈放できる設計であれば、いずれも本発明の簡単な変化の技術内容に属する。
【００３８】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００３９】
１０  ミシン
１１  頭部
１２  針棒切り換え機構
２０  環状針棒カートリッジ
２０１  円筒壁
２０２  回転軸心
２０３  貫通空間
２０４  針棒孔
２０５  針棒
２０６  ミシン針
２０７  針孔
２１  挑糸棒
２１１  揺動端
２１２  挑糸端
２１３  糸孔
２２  縫い糸
２３  位置決め盤
２３１  糸通し孔
２３２  開孔
２４  糸夾持装置
２４１  糸夾持部材
２４１ａ  糸夾持面
２４１ｂ  連接部
２４１ｃ  切欠き
２４２  軸部材
２４３  バネ
２４４  ナット
２４５  駆動棒部材
２５  糸渡し器
２６  糸夾持機構
２６１ａ  押圧片
２６２  糸弛緩ユニット
２６２ａ  支持軸
２６２ｂ  糸弛緩板
２６３  駆動ユニット
２６３ａ  ギア
２６３ｂ  移動部材
２６３ｃ  凸縁
２６３ｄ  気圧シリンダ
２６３ｅ  回復バネ
【図１】
2014226543.tif 000003
【図２】
2014226543.tif 000004
【図３】
2014226543.tif 000005
【図４】
2014226543.tif 000006
【図５】
2014226543.tif 000007
【図６】
2014226543.tif 000008
【図７】
2014226543.tif 000009
【図８】
2014226543.tif 000010
【図９】
2014226543.tif 000011
【図１０】
2014226543.tif 000012
【図１１】
2014226543.tif 000013
【図１１Ａ】
2014226543.tif 000014
【図１１Ｂ】
2014226543.tif 000015
【図１２】
2014226543.tif 000016
【図１３Ａ】
2014226543.tif 000017
【図１３Ｂ】
2014226543.tif 000018
【図１４】
2014226543.tif 000019
【図１５】
2014226543.tif 000020